(57)【要約】【課題】屋外に向かって伸延する庇部材を複数個連結して形成されたコーナー庇を提供する。【解決手段】建物の外壁３から屋外に向かって張り出す庇部材である中間材２４が外壁３に沿って複数個連結された外壁庇６に連設される出隅部分４の出隅コーナー庇１であって、出隅部分４に固定される取り付け部材２と、取り付け部材２に一端部が支持され、出隅部分４が成す角を２等分する２等分線に沿って屋外方向に伸延するアーム部材５と、外壁庇６の出隅側端部７とアーム部材５との間に設置されるコーナー庇パネル８とを備え、コーナー庇パネル８は、アーム部材５に沿う第１の端面がアーム部材５に固定され、外壁庇６の屋外側端面に沿う第２の端面である前縁部２１が中間材２４の屋外側端面を連結する連結部材である先端見切り材２２に固定される。【選択図】図１
2012241316.tif 000002
【特許請求の範囲】
【請求項１】
建物の外壁から屋外に向かって張り出す庇部材が外壁に沿って複数個連結された外壁庇に連設される出隅部分の出隅コーナー庇であって、
出隅部分に固定される取り付け部材と、
取り付け部材に一端部が支持され、出隅部分が成す角を２等分する２等分線に沿って屋外方向に伸延するアーム部材と、
外壁庇の出隅側端部とアーム部材との間に設置されるコーナー庇パネルとを備え、
コーナー庇パネルは、アーム部材に沿う第１の端面がアーム部材に固定され、外壁庇の出隅側端部に沿う第２の端面が出隅側端部に固定され、第３の端面である屋外側の端面が、外壁庇を形成する複数個の庇部材の屋外側端面を連結する連結部材に固定されることを特徴とする出隅コーナー庇。
【請求項２】
アーム部材は固定用ステーによって出隅を構成する外壁に固定され、
アーム部材の一端部には水平方向に臨み互いに対向する取り付け面が設けられ、
取り付け部材には、取り付け面に当接してアーム部材を水平方向にねじ止めする当接面と、取り付け部材を出隅を構成する外壁に固定する固定部とが設けられて
いることを特徴とする請求項１記載の出隅コーナー庇。
【請求項３】
建物の外壁から屋外に向かって張り出す庇部材が外壁に沿って複数個連結された外壁庇に連設される入隅部分の入隅コーナー庇であって、
入隅部分に固定される取り付け部が設けられ、入隅部分が成す角を２等分する２等分線に沿って屋外方向に伸延するアーム部材と、
外壁庇の入隅側端部とアーム部材との間に設置されるコーナー庇パネルとを備え、
コーナー庇パネルは、アーム部材に沿う第１の端面がアーム部材に固定され、外壁庇の入隅側端部に沿う第２の端面が入隅側端部に固定され、第３の端面である外壁側の端面が、外壁庇を形成する複数個の庇部材の外壁側端面を支持する支持部材に固定されることを特徴とする入隅コーナー庇。
【請求項４】
コーナー庇パネルは第２の端面の周縁部が固定用ステーによって入隅を構成する外壁に固定されることを特徴とする請求項３記載の入隅コーナー庇。
【発明の詳細な説明】
【技術分野】
【０００１】
本発明は、屋外に向かって伸延する庇部材を外壁に沿って複数個連結して形成した庇を外壁の出隅または入隅で連結するコーナー庇構造に関する。
【背景技術】
【０００２】
建物の一方の外壁に設置した庇と他方の外壁に設置した庇とを、外壁の出隅または入隅で連結したい場合がある。特許文献１には、外壁の出隅に設置されるコーナー庇が記載されている。一方の壁面に設置される庇と他方の壁面に設置される庇とは、夫々外壁の出隅に位置する端部がトメ切りされており、２つの庇は、出隅の端部がコーナーブロックを介してトメ接合される。
【先行技術文献】
【特許文献】
【０００３】
【特許文献１】特開２００９−６８２６９号公報
【発明の概要】
【発明が解決しようとする課題】
【０００４】
特許文献１に記載されるコーナー庇では、壁面部の庇が壁面に沿って出隅に伸延した状態で、コーナー庇と壁面部の庇とが一体成型されているので、出隅の庇の荷重は壁面部の庇を支持する支持部材によって受けることができる。ところが、一体成型の庇では庇の出幅を任意に選択することができず、さらに運搬コストが嵩む。そこで屋外に向かって伸延する庇部材を複数個外壁に沿って連結して庇を形成したい場合がある。このような場合に、コーナー庇も庇部材を横方向に連結して形成することができれば庇全体を統一した外観とすることができ、運搬する上でも便利であるが、この場合にコーナー庇をどのように支持するかという問題がある。出隅のコーナー庇について説明してきたが、入隅のコーナー庇についても同様の問題がある。
【０００５】
本発明の目的は、このような課題を解決するもので、屋外に向かって伸延する庇部材を複数個連結して形成されるコーナー庇を提供することである。
【課題を解決するための手段】
【０００６】
この課題を解決するために請求項１の発明は、建物の外壁から屋外に向かって張り出す庇部材が外壁に沿って複数個連結された外壁庇に連設される出隅の出隅コーナー庇であって、出隅に固定される取り付け部材と、取り付け部材に一端部が支持され、出隅が成す角を２等分する２等分線に沿って屋外方向に伸延するアーム部材と、外壁庇の出隅側端部とアーム部材との間に設置されるコーナー庇パネルとを備え、コーナー庇パネルは、アーム部材に沿う第１の端面がアーム部材に固定され、外壁庇の出隅側端部に沿う第２の端面が出隅側端部に固定され、第３の端面である屋外側の端面が、外壁庇を形成する複数個の庇部材の屋外側端面を連結する連結部材に固定されるものである。
【０００７】
請求項２の発明では、アーム部材は固定用ステーによって出隅を構成する外壁に固定され、アーム部材の一端部には水平方向に臨み互いに対向する取り付け面が設けられ、取り付け部材には、取り付け面に当接してアーム部材を水平方向にねじ止めする当接面と、取り付け部材を出隅を構成する外壁に固定する固定部とが設けられているものである。
【０００８】
請求項３の発明は、建物の外壁から屋外に向かって張り出す庇部材が外壁に沿って複数個連結された外壁庇に連設される入隅の入隅コーナー庇であって、入隅に固定される取り付け部が設けられ、入隅が成す角を２等分する２等分線に沿って屋外方向に伸延するアーム部材と、外壁庇の入隅側端部とアーム部材との間に設置されるコーナー庇パネルとを備え、コーナー庇パネルは、アーム部材に沿う第１の端面がアーム部材に固定され、外壁庇の入隅側端部に沿う第２の端面が入隅側端部に固定され、第３の端面である外壁側の端面が、外壁庇を形成する複数個の庇部材の外壁側端面を支持する支持部材に固定されるものである。
【０００９】
請求項４の発明において、コーナー庇パネルは第２の端面の周縁部が固定用ステーによって入隅を構成する外壁に固定されるものである。
【発明の効果】
【００１０】
屋外に向かって伸延する庇部材を複数個連結して形成されるコーナー庇を提供することができる。
【図面の簡単な説明】
【００１１】
【図１】第１の実施の形態に係る出隅コーナー庇の平面図である。
【図２】取り付け部材の詳細図である。
【図３】アーム部材の縦断面図である。
【図４】アーム部材の横断面図である。
【図５】第２の実施の形態に係る入隅コーナー庇の平面図である。
【図６】補強材の平面図である。
【図７】補強材の正面図である。
【発明を実施するための形態】
【００１２】
以下、本発明の第１の実施の形態について図１〜図４に基づいて説明する。
出隅コーナー庇１は、出隅４に固定される取り付け部材２と、取り付け部材２に一端部が支持され、２つの外壁３で形成される出隅４が成す角を２等分する２等分線に沿って屋外方向に伸延するアーム部材５と、外壁庇６の出隅側端部７とアーム部材５との間に設置されるコーナー庇パネル８とを備える。
【００１３】
取り付け部材２は、一対の第１部材９と第２部材１０とをからなる。第１部材９と第２部材１０とは、ともに金属製の平板をくの字状に折り曲げられ左右対称に形成される。第１部材９と第２部材１０とは、出隅４を構成する各々の外壁３に固定される板部９ａ，１０ａと、アーム部材５の取り付け面１１に当接してアーム部材５をねじ止めする板部９ｂ，１０ｂとを備える。板部９ａ，１０ａはアンカーボルトを用いて外壁に固定される。
【００１４】
アーム部材５は、下部ジョイント材１２と上部ジョイント材１３と補強材１４とを備える。下部ジョイント材１２と上部ジョイント材１３とはアルミ押出し型材を用いて形成され、補強材１４はステンレス板を曲げ加工して形成される。
下部ジョイント材１２は開口部が上方に臨んだ断面コの字状であり、底板部１２ａの両端には両側板１２ｂの外側に伸延した板部１２ｃが形成された長尺物である。底板部１２ａの中央上面側には長手方向に、あり溝１５が形成されており、上部ジョイント材１３をボルト止めするボルト頭部がこのあり溝に嵌め込まれる。補強材１４は、断面がコの字状の長尺物であり、開口部を下向きにして底板１４ａが上方に位置した状態で、下部ジョイント材１２の開口部に収容される。
【００１５】
上部ジョイント材１３は、中央部に上方に凸となる段付き部１３ａが長手方向に沿って形成され、段付き部１３ａの両側に板部１３ｂが形成された板状の長尺物である。上部ジョイント材１３は、段付き部１３ａの底面１３ｃが補強材１４の底板１４ａ上面に当接した状態で、下部ジョイント材１２にボルト止めされる。このとき、上部ジョイント材１３には段付き部１３ａが形成されているので、上部ジョイント材１３と下部ジョイント材１２との位置決めを容易に行うことができる。
【００１６】
補強材１４は、上部ジョイント材１３および下部ジョイント材１２から長手方向基端部側に突出した突出部１４ｂを備えている。この突出部１４ｂが取り付け部材２にボルト止めされる。さらに、上部ジョイント材１３の板部１３ｂには、長手方向に沿ってコーナー庇パネル８をねじ止めするためのねじ孔１７が複数個所設けられている。
【００１７】
アーム部材５は、取り付け部材２を構成する第１部材９と第２部材１０との板部９ｂ，１０ｂによって補強材１４突出部１４ｂの取り付け面１１が挟み込まれた状態で水平方向にボルト止めされる。第１部材９と第２部材１０との板部９ｂ，１０ｂは、曲げ剛性を向上させるために上下方向の幅が幅広に形成されている。なお、第１部材９と第２部材１０との板部９ｂ，１０ｂに形成されたボルト取り付け孔１８は、アーム部材５の取り付け位置を調整可能とするために、庇の張り出し方向に細長な長孔とされる。
【００１８】
コーナー庇パネル８は、コーナー中間材２０が複数個連結されて形成される。コーナー中間材２０同士は、接合部にピンが嵌合された状態で連結される。アーム部材５に長手方向に沿って当接するコーナー庇パネル８の端面は、下部ジョイント材１２の側板１２ｂおよび板部１２ｃと、上部ジョイント材１３の板部１３ｂとによって形成される凹部１６に嵌め込まれた状態で上部ジョイント材１３にねじ止めされる。コーナー庇パネル８の前縁部２１には不図示の先端ブラケットがビス止めされ、この先端ブラケットに先端見切り材２２が装着される。コーナー庇パネル８は、外壁３に沿って取り付けられる外壁庇６に隣接して設置されるが、この外壁庇６に装着される先端見切り材２２は出隅側に張り出した状態で設置される。出隅側に張り出した先端見切り材２２の張り出し部がコーナー庇パネル８の先端ブラケットに固定される。先端見切り材２２同士は、出隅角部において、シール処理された状態で当接し、あるいは溶接され、または接着された状態で当接する。
【００１９】
ここで出隅コーナー庇１の組み立て手順について説明する。取り付け部材２を構成する第１部材９と第２部材１０とが出隅４を構成する各々の外壁３に固定される。第１部材９と第２部材１０とは、板部９ａ，１０ａがアンカーボルトを用いて固定される。第１部材９と第２部材１０との板部９ｂ，１０ｂには、アーム部材５が連結される。アーム部材５は、補強材１４突出部１４ｂの取り付け面１１が第１部材９と第２部材１０との板部９ｂ，１０ｂに挟み込まれた状態で水平方向にボルト止めされる。なお、アーム部材５には、固定用ステー２３が取り付けられる。固定用ステー２３の他端部は出隅部外壁３に支持される。
【００２０】
固定用ステー２３で支持されたアーム部材５には、コーナー庇パネル８が取り付けられる。コーナー庇パネル８は、コーナー中間材２０の接合部にピンが嵌合され、あるいはコーナー中間材２０の接合部がビス止めされてコーナー中間材２０が複数個連結されて形成される。コーナー庇パネル８のアーム部材５に沿う第１の端面が、アーム部材５の長手方向に沿って形成された凹部１６に嵌め込まれ、上部ジョイント材１３の板部１３ｂにねじ止めされる。
【００２１】
アーム部材５に取り付けられたコーナー庇パネル８の外壁庇６出隅側端部７に沿う第２の端面と、外壁３に沿って取り付けられた外壁庇６の出隅側端部７とは、コーナー庇パネル８の端部に位置するコーナー中間材２０ａと、外壁庇６の端部に位置する中間材２４との接合部にピンが嵌合され、あるいはビス止めされて連結され固定される。コーナー中間材２０ａの基端部は、隣接する中間材２４と同様に連結部材である壁取り付け材２５とパネル取り付け材２６とによって支持される。コーナー庇パネル８の第３の端面である前縁部には先端ブラケット２７がビス止めされる。外壁庇６に装着された連結部材である先端見切り材２２は出隅コーナー庇１側に張り出した状態で設置されており、この先端見切り材２２の張り出し部が先端ブラケット２７に固定される。先端見切り材２２同士は出隅角部においてシール処理された状態で当接し、あるいは溶接され、または接着された状態で当接する。コーナー庇パネル８の基端部側には、取り付け部材２を覆うように上部カバー材２８ａと下部カバー材２８ｂが取り付けられる。
【００２２】
以下、本発明の第２の実施の形態について図５〜図７に基づいて説明する。本実施の形態では入隅コーナー庇３１について説明するが、第１の実施の形態の説明と重複する部分については説明を省略し、同一の参照符を用いる。
【００２３】
アーム部材３２は、入隅３３が成す角を２等分する２等分線に沿って屋外方向に伸延する。アーム部材３２を入隅３３の外壁３４に固定する取り付け部３５は、アーム部材３２と一体に形成される。取り付け部３５は、たとえば板材を用いて補強材１４の長手方向一端部に溶接され、入隅３３を構成する外壁３４に当接した状態でねじ止めされる。取り付け部３５は、曲げ剛性を向上させるために上下方向の幅が幅広に形成されている。
【００２４】
コーナー庇パネル３６は、アーム部材３２に沿う第１の端面がアーム部材３２に固定され、外壁庇３７の入隅側端部４０に沿う第２の端面が入隅側端部４０に固定される。第３の端面である外壁３４側の端面は、外壁庇３７を形成する複数個の庇部材である中間材３８の外壁側端面を支持する、支持部材である壁取り付け材２５とパネル取り付け材２６とに固定される。コーナー庇パネル３６の第２の端面の周縁部には、固定用ステーが取り付けられ、コーナー庇パネル３６が入隅を構成する外壁に固定される。なお、先端見切り材３９同士は入隅角部においてシール処理された状態で当接し、あるいは溶接され、または接着された状態で当接する。
【００２５】
このように、建物の外壁３から屋外に向かって張り出す庇部材である中間材２４が外壁３に沿って複数個連結された外壁庇６に連設される出隅４の出隅コーナー庇１であって、出隅４に固定される取り付け部材２と、取り付け部材２に一端部が支持され、出隅４が成す角を２等分する２等分線に沿って屋外方向に伸延するアーム部材５と、外壁庇６の出隅側端部７とアーム部材５との間に設置されるコーナー庇パネル８とを備え、コーナー庇パネル８は、アーム部材５に沿う第１の端面がアーム部材５に固定され、外壁庇６の出隅側端部７に沿う第２の端面が出隅側端部７に固定され、第３の端面である前縁部２１が、外壁庇６を形成する複数個の庇部材である中間材２４の屋外側端面を連結する連結部材である先端見切り材２２に固定されるので、屋外に向かって伸延する庇部材であるコーナー中間材２０を複数個連結して出隅コーナー庇１を形成することができる。
【００２６】
さらに、アーム部材５は固定用ステー２３によって出隅４を構成する外壁３に固定され、アーム部材５の一端部には、水平方向に臨み互いに対向する取り付け面１１が設けられ、取り付け部材２には、取り付け面に当接してアーム部材５を水平方向にねじ止めする当接面である板部９ｂ，１０ｂと、取り付け部材２を出隅４を構成する外壁３に固定する固定部である板部９ａ，１０ａとが設けられているので、アーム部材５の一端部が出隅４に支持される支持部である取り付け部材２の強度を向上させることができる。
【００２７】
さらに、建物の外壁３４から屋外に向かって張り出す庇部材である中間材３８が外壁３４に沿って複数個連結された外壁庇３７に連設される入隅３３の入隅コーナー庇３１であって、入隅３３に固定される取り付け部３５が設けられ入隅３３が成す角を２等分する２等分線に沿って屋外方向に伸延するアーム部材３２と、外壁庇３７の入隅側端部４０とアーム部材３２との間に設置されるコーナー庇パネル３６とを備え、コーナー庇パネル３６は、アーム部材３２に沿う第１の端面がアーム部材３２に固定され、外壁庇３７の入隅側端部４０に沿う第２の端面が入隅側端部４０に固定され、第３の端面である外壁３４側の端面が、外壁庇３７を形成する複数個の庇部材である中間材３８の外壁側端面を支持する支持部材である壁取り付け材２５とパネル取り付け材２６とに固定されるので、屋外に向かって伸延する庇部材であるコーナー中間材３８を複数個連結して入隅コーナー庇３１を形成することができる。
【００２８】
さらに、コーナー庇パネル３６は第２の端面の周縁部が固定用ステー２３によって入隅３３を構成する外壁３４に固定されるので、入隅コーナー庇の強度を控除させることができる。
【符号の説明】
【００２９】
１    出隅コーナー庇  
２    取り付け部材
３，３４    外壁
４    出隅
５，３２    アーム部材
６，３７    外壁庇
７    出隅側端部
８，３６    コーナー庇パネル
９    第１部材
９ａ，９ｂ，１０ａ，１０ｂ，１２ｃ，１３ｂ      板部
１０    第２部材
１１    取り付け面
１２    下部ジョイント材
１２ａ    底板部
１２ｂ    側板
１３    上部ジョイント材
１３ａ    段付き部
１３ｃ    底面
１４    補強材
１４ａ    底板
１４ｂ    突出部
１５    あり溝
１６    凹部
１７    ねじ孔
１８    ボルト取り付け孔
２０    コーナー中間材
２１    前縁部
２２，３９    先端見切り材
２３    固定用ステー
２４，３８    中間材
２５    壁取り付け材
２６    パネル取り付け材
２７    先端ブラケット
２８ａ    上部カバー材
２８ｂ    下部カバー材
３１    入隅コーナー庇
３３    入隅
３５    取り付け部
４０    入隅側端部
【図１】
2012241316.tif 000003
【図２】
2012241316.tif 000004
【図３】
2012241316.tif 000005
【図４】
2012241316.tif 000006
【図５】
2012241316.tif 000007
【図６】
2012241316.tif 000008
【図７】
2012241316.tif 000009